(57)【要約】【課題】  電線の開放／保護を容易に行うことができる電線保護材を提供すること。【解決手段】  直線状の第一稜線３を底部とするＶ字の側部４と、この側部４により区画されたＶ字溝４ａの一端部を閉塞し、且つ当該Ｖ字溝４ａの開口角４ｂを二等分する面上に延びる第二稜線５で折曲される端壁部６とを一体的に備えた可撓性シート２と、この可撓性シート２に設けられ、上記第一稜線３に沿って折り畳まれた側部４の相対向する面を互いに係着／剥離可能な面ファスナー７とを備え、上記第一稜線３及び第二稜線５に沿って可撓性シート２を折り畳むことにより、第一稜線３に沿わせた状態でＶ字溝４ａ内に配置された電線Ｗの端部が可撓性シート２に囲繞されるとともに、上記面ファスナー７が電線を挟んで互いに係着することにより、当該電線Ｗと可撓性シートとを止着するように構成されている。【選択図】      図１
2005149917.tif 000002
【特許請求の範囲】
【請求項１】
直線状の第一稜線を底部としてＶ字状に折曲される側部と、この側部により区画されるＶ字溝の一端側を閉塞し、且つ当該Ｖ字溝の開口角を二等分する面上に延びる第二稜線で折曲される端壁部とを一体的に備えた可撓性シートと、
この可撓性シートに設けられ、上記第一稜線に沿って折り畳まれた側部の相対向する面を互いに係着／剥離可能な面ファスナーとを備え、
上記第一稜線及び第二稜線に沿って可撓性シートを折り畳むことにより、第一稜線に沿わせた状態でＶ字溝内に配置された電線の端部が可撓性シートに囲繞されるとともに、上記面ファスナーが電線を挟んで互いに係着することにより、当該電線と可撓性シートとを止着するように構成されていることを特徴とする電線保護材。
【請求項２】
請求項１に記載の電線保護材において、上記可撓性シートには、上記第二稜線に沿って折り畳まれた端壁部の相対向する面を互いに係着／剥離可能な面ファスナーがさらに設けられていることを特徴とする電線保護材。
【発明の詳細な説明】
【技術分野】
【０００１】
本発明は、電線の端部を保護する電線保護材に関するものである。
【背景技術】
【０００２】
一般にワイヤーハーネスは、複数のコネクタ間で多数の電線が接続されることにより、所定の回路網が形成された電気配線システムである。この種のワイヤーハーネスを構成する電線としては、上記コネクタ接続用の端子が端末に接続された端子付電線や、複数の電線の端末部分が一括してスプライスされたスプライス電線が使用されている。そして、上記ワイヤーハーネスを製造する場合には、端子付電線、又はスプライス電線を複数の製造工程間で移送することが多く、この移送時においては、電線の端部（すなわち、端子又はスプライス部分）が周辺の物に接触して破損してしまうことや、電線の端部に対して異物が付着してしまうことを防止するために、当該電線の端部を被覆して保護する下記特許文献１のような保護構造が採用されている。
【０００３】
特許文献１の保護構造は、熱融着性の樹脂シートからなる保護材を電線の端部を挟み込むように二つ折りにし、この状態で保護材の重ね合わされた周縁部（三辺）を熱融着して閉塞することにより、袋状にされた保護材の内部に電線の端部を収容し、樹脂シートが電線の途中部を介して融着されることにより電線と樹脂シートとを止着するようになっている。
【０００４】
また、電線の端部を被覆する別の方法として、有底筒状のカップ内に電線の端部を収容し、このカップと電線の途中部とをテープにより止着する方法や、電線の端部を可撓性シートで包み込み、この状態で可撓性シートの形態を維持するように当該シートの外側にテープを巻きつける方法も知られている。
【特許文献１】特開２０００−２９４０６０号公報
【発明の開示】
【発明が解決しようとする課題】
【０００５】
しかしながら、上記特許文献１の保護構造は、保護材を熱融着することにより電線の端部を保護するように構成されているため、電線の端部に対して加工を施し、その後、この電線を他の製造工程へ移送する場合には、一旦保護材の融着部分を剥離して電線を開放し、電線の加工後に保護材を再度融着しなければならず、このことは、電線に対する開放／保護を行う毎に保護材の融着作業が必要となり、作業性を低下させる要因となっていた。
【０００６】
また、カップや可撓性シートにより電線の端部を保護する場合でも、電線の開放／保護を行う毎にテープの貼り付け作業を行う必要が生じるため、作業性が悪かった。
【０００７】
本発明は、上記課題に鑑みてなされたものであり、電線の開放／保護を容易に行うことができる電線保護材を提供することを目的としている。
【課題を解決するための手段】
【０００８】
上記課題を解決するために本発明は、直線状の第一稜線を底部としてＶ字状に折曲される側部と、この側部により区画されるＶ字溝の一端側を閉塞し、且つ当該Ｖ字溝の開口角を二等分する面上に延びる第二稜線で折曲される端壁部とを一体的に備えた可撓性シートと、この可撓性シートに設けられ、上記第一稜線に沿って折り畳まれた側部の相対向する面を互いに係着／剥離可能な面ファスナーとを備え、上記第一稜線及び第二稜線に沿って可撓性シートを折り畳むことにより、第一稜線に沿わせた状態でＶ字溝内に配置された電線の端部が可撓性シートに囲繞されるとともに、上記面ファスナーが電線を挟んで互いに係着することにより、当該電線と可撓性シートとを止着するように構成されていることを特徴とする電線保護材である。
【０００９】
上記電線保護材において、上記可撓性シートには、上記第二稜線に沿って折り畳まれた端壁部の相対向する面を互いに係着／剥離可能な面ファスナーがさらに設けられていることが好ましい。
【発明の効果】
【００１０】
本発明によれば、第一及び第二稜線に沿って可撓性シートを折り畳み、面ファスナーを係着させることにより、可撓性シートの間で電線の端部を囲繞するとともに、当該電線と可撓性シートとを止着することができる一方、面ファスナーを剥離させることにより可撓性シートを開いて、電線の端部を可撓性シートから取り出すことができるので、作業者は、面ファスナーの係着／剥離作業によって電線の保護／開放を容易に行うことができる。
【００１１】
また、本発明では、第一及び第二稜線に沿って折り畳まれた可撓性シートの間で電線の端部を平面的に囲繞することができるので、従来のように有底筒状のカップを利用する場合と比較して、嵩張ることなく電線の端部を保護することができる。
【００１２】
可撓性シートの端壁部に面ファスナーを設けた構成によれば、第一及び第二稜線に沿って折り畳まれた側部及び端壁部のそれぞれを面ファスナーで係着することにより、可撓性シートの折り畳み形状をより強固に維持することができるので、より確実に電線の端部を保護することができる。
【発明を実施するための最良の形態】
【００１３】
以下、本発明の好ましい実施形態について図面を参照して説明する。
【００１４】
図１は、本発明の実施形態に係る電線保護材を示す斜視図である。なお、以下の説明では、電線Ｗとこの電線Ｗの端末に接続された端子Ｔとを有する端子付電線Ｄを保護する場合を例に挙げて説明する。
【００１５】
図１を参照して、電線保護材１は、電線Ｗの端子Ｔを囲繞可能な可撓性シート２と、この可撓性シート２に設けられた面ファスナー７とを備えている。ここで、面ファスナーとは、フック部とループ部とが対をなして、両者を強く圧迫すると、フック部とループ部とが相互に外れにくいように係着されるとともに、フック部とループ部とを手で強く引き剥がすと、フック部とループ部との係着が外れるものをいい、メカニカルファスナーとも呼ばれている。
【００１６】
上記可撓性シート２は、ポリ塩化ビニルやポリプロピレン等の可撓性及び光透過性を有する合成樹脂により構成されている。また、可撓性シート２は、直線状の第一稜線３を底部とするＶ字の側部４と、この側部４により区画されるＶ字溝４ａの一端部を閉塞し、且つ当該Ｖ字溝４ａの開口角４ｂを二等分する面上に延びる第二稜線５で折曲される端壁部６とを一体的に備えている。上記側部４は、長方形に形成され、その幅方向で二つ折り可能となる位置に上記第一稜線３が形成されている。上記端壁部６は、二つ折りにされた側部４の短辺をそれぞれ斜辺６ａとする二等辺三角形に形成され、その頂点部分（第一稜線３の一端部）から底辺６ｂに対する垂直二等分線となる位置に上記第二稜線５が形成されている。つまり、電線保護材１は、Ｖ字溝４ａを開放する図１に示す形態と、上記第一稜線３に沿って側部４を二つ折りにするとともに、第二稜線５に沿って端壁部６を側部４の外側へ山折りとした図２に示す形態との間で開閉自在に構成されている。
【００１７】
上記面ファスナー７は、上記側部４の両長辺に沿って配置された側部ファスナー８と、上記端壁部６の底辺６ｂに沿って配置された端壁ファスナー９と、端壁部６が非設置とされた側部４の短辺部に沿って配置された挟圧用ファスナー１０とを備えている。側部ファスナー８は、上記第一稜線３に沿って二つ折りにされた側部４の相対向する面を互いに係着／剥離可能となるように、重ね合わされる側部４の両長辺の縁部にそれぞれ一対一対応で設けられたフック部８ａとループ部８ｂとを備えている。端壁ファスナー９は、上記第二稜線５に沿って二つ折りにされた端壁部６の相対向する面を互いに係着／剥離可能となるように、重ね合わされる底辺６ｂの縁部に第二稜線５を挟んでそれぞれ一対一対応で設けられたフック部９ａとループ部９ｂとを備えている。挟圧用ファスナー１０は、上記第一稜線３に沿って二つ折りにされた側部４の相対向する面を互いに係着／剥離可能となるように、重ね合わされる側部４の短辺縁部に第一稜線３を挟んでそれぞれ一対一対応で設けられたフック部１０ａとループ部１０ｂとを備えている。
【００１８】
したがって、電線保護材１は、第一及び第二稜線３、５に沿って可撓性シート２を折り畳み、面ファスナー７を係着することによって、Ｖ字溝を開放する図１に示す形態から、側部４の長辺、短辺及び端壁部６の底部６ｂが係着された図２に示す袋状の形態へ変形可能に構成されている。
【００１９】
以下、上記電線保護材１により複数の端子付電線Ｄの端子Ｔを保護する手順について図１及び図２を参照して説明する。
【００２０】
図２は、図１の電線保護材１を折り畳んで端子付電線Ｄの端部を保護した状態を示す斜視図である。
【００２１】
まず、図１を参照して、複数の端子付電線Ｄの端子Ｔをそれぞれ一端側に揃え、各電線Ｗの軸線方向を第一稜線３に沿わせた状態で各端子ＴをＶ字溝４ａ内に配置する。すなわち、Ｖ字溝４ａ内で各端子Ｔと端壁部６とを対向させるとともに、端壁部６が非設置とされた側部４の短辺側から各電線Ｗの他端側がはみ出すように、各端子付電線Ｄの端部をＶ字溝４ａ内に配置する。この状態で第一及び第二稜線３、５に沿って可撓性シート２を折り畳むとともに、側部及び端壁ファスナー８、９を係着して、図２に示すように、可撓性シート２内に各端子Ｔを囲繞し、さらに各電線Ｗの途中部を挟んで挟圧ファスナー１０を係着して、当該各電線Ｗと可撓性シート２とを止着することにより、端子付電線Ｄの端部を保護することができる。
【００２２】
一方、上記のように保護された端子付電線Ｄを加工する場合等には、面ファスナー７を剥離するとともに、可撓性シート２を広げてＶ字溝４ａを開放することにより、当該可撓性シート２から端子付電線Ｄを取り出すことができる。
【００２３】
以上説明したように電線保護材１によれば、第一及び第二稜線３、５に沿って可撓性シート２を折り畳み、側部及び挟圧ファスナー８、１０をそれぞれ係着させることにより、可撓性シート２間で電線Ｗの端部を囲繞するとともに、当該電線Ｗと可撓性シート２とを止着することができる一方、側部及び挟圧ファスナー８、１０を剥離させることにより可撓性シート２を開いて、電線Ｗの端部を可撓性シート２から取り出すことができるので、作業者は、面ファスナー７の係着／剥離作業によって電線Ｗの保護／開放を容易に行うことができる。
【００２４】
また、上記電線保護材１では、第一及び第二稜線３、５に沿って折り畳まれた可撓性シート２の間で電線Ｗの端部を平面的に囲繞することができるので、嵩張ることなく電線Ｗの端部を保護することができる。
【００２５】
可撓性シート２の端壁部６に端壁ファスナー９を設けた構成によれば、第一及び第二稜線３、５に沿って折り畳まれた側部４及び端壁部６のそれぞれを面ファスナー７で係着することにより、可撓性シート２の折り畳み形状をより強固に維持することができるので、より確実に電線Ｗの端部を保護することができる。
【００２６】
なお、上記実施形態では、端壁部６に端壁ファスナー９を備えた構成としているが、この端壁ファスナー９を省略した構成とすることも可能である。
【００２７】
また、上記実施形態では、側部４又は端壁部６の縁部のみに面ファスナー７を備えた構成としているが、この構成に限定されることはなく、側部４又は端壁部６の全面に面ファスナーを備えた構成とすることもできる。
【００２８】
さらに、上記実施形態では、端子付電線Ｄの端子Ｔを保護する場合を例に挙げているが、複数の電線が一括してスプライスされたスプライス線の端部を保護することも可能である。
【図面の簡単な説明】
【００２９】
【図１】本発明の実施形態に係る電線保護材を示す斜視図である。
【図２】図１の電線保護材を折り畳んで端子付電線の端部を保護した状態を示す斜視図である。
【符号の説明】
【００３０】
１    電線保護材
２    可撓性シート
３    第一稜線
４    側部
４ａ    Ｖ字溝
５    第二稜線
６    端壁部
７    面ファスナー
【図１】
2005149917.tif 000003
【図２】
2005149917.tif 000004